(57)【要約】      （修正有）【課題】電気筋肉刺激装置と接続され、身体各部への装着が可能な電極パッドを保持し、身体と電極パッドとの密着性を高めるシリコンゴムにゲルマニウムを含有した導子を提供する。【解決手段】利用者の身体内部の筋肉を電気刺激するための電気筋肉刺激装置と接続される一又は複数の電極パッド２０を備えた導子１００であって、電極パッド２０は基材シート１０と電極パッド２０と利用者身体とを密着させるシリコンゴム３０で保持され、シリコンゴム３０には粉末状のゲルマニウムが０．５％から１％質量配合されている。【選択図】図１
0003205511.tif 000002
【実用新案登録請求の範囲】
【請求項１】
利用者の身体内部の筋肉を電気刺激するための電気筋肉刺激装置と接続される一又は複数の電極パッドを備えた導子であって、
前記電極パッドは基材シートと前記電極パッドと利用者身体とを密着させるシリコンゴムで保持され、
前記シリコンゴムには粉末状のゲルマニウムが０．５％から１％質量配合されていることを特徴とする導子。
【請求項２】
前記粉末状ゲルマニウムの粒径は０．１μｍから５０μｍであることを特徴とする請求項１に記載の導子。
【考案の詳細な説明】
【技術分野】
【０００１】
本考案は、利用者の身体内部の筋肉を電気的に刺激する電気筋肉刺激装置に接続する導子に関する。
【背景技術】
【０００２】
従来技術の導子として例えば、特開２００２−１３６６０５号公報には、複数の電極パッドを任意の場所へ固定することが可能なベルトが開示されている。
また、シリコンゴムにゲルマニウムを配合した治療器として例えば、特開２００５-３２８９０７号公報には、シリコンを主剤とし、副材としてチタンやゲルマニウムを添加した貼付パッドに磁石を埋設した磁気治療器が開示されている。
【先行技術文献】
【特許文献】
【０００３】
【特許文献１】特開２００２−１３６６０５号公報
【特許文献２】特開２００５-３２８９０７号公報
【考案の開示】
【考案が解決しようとする課題】
【０００４】
しかしながら、上記特許文献１に開示されたベルト付き導子は、導子が設置された場所以外の場所には隙間があり、利用者身体との密着性が悪く、効果的な電気治療をすることが出来なかった。また、電極パッド以外の場所も身体に接しているにも関わらず、何らの刺激を与えることができないという課題があった。また上記特許文献２に開示された従来の磁気治療器では、磁力やゲルマニウム等の温熱効果だけしか享受しえないという課題があった。
【課題を解決するための手段】
【０００５】
本考案は、以上の課題を解決するために、次の構成を採用する。
【０００６】
〈構成〉
本考案に係る導子は、利用者の身体内部の筋肉を電気刺激するための電気筋肉刺激装置と接続される一又は複数の電極パッドを備えた導子であって、上記した電極パッドは基材シートと、上記した電極パッドと利用者身体とを密着させるシリコンゴムで保持され、上記したシリコンゴムには粉末状のゲルマニウムが配合され、上記したシリコンゴムの上記ゲルマニウムの配合量は０．５％から１％質量であることを特徴とする。
【０００７】
また、本考案に係る導子の別の構成は、ゲルマニウムの粒径は０．１μｍから５０μｍであることを特徴とする。
【考案の効果】
【０００８】
本考案の導子によれば、電気筋肉刺激装置による電極パッドからの電気刺激の効果だけでなく、該電極パッドの周辺に設置されたシリコンゴムに含有されるゲルマニウムによる温熱効果をも享受することができる。また、電気筋肉刺激装置の発する電気パルスにより電極パッド周辺のゲルマニウムを活性させ、ゲルマニウムの持つ温熱効果を効果的に引き上げることができる。これにより滞っていた血流を増進させることで血流不足による様々な障害を緩和することが可能となる。
【図面の簡単な説明】
【０００９】
【図１】本考案の実施例に係る導子の構成図である。
【図２】本考案の実施例に係る導子の他の構成図である。
【図３】本考案の実施例に係る導子と電気筋肉刺激装置との接続図である。
【図４】本考案の実施例に係る電気筋肉刺激装置の機能構成を示すブロック図である。
【図５】定常パルス信号の信号パターンを示す説明図である。
【図６】ＥＭＳ信号の信号パターンを示す説明図である。
【考案を実施するための形態】
【００１０】
ゲルマニウムには温熱効果があり、ゲルマニウムを湯に溶かして温浴するゲルマニウム温浴などが温熱療法として知られている。
そして、ゲルマニウムは加熱、光、Ｘ線、電界などの影響を受け活性化し、活性化したゲルマニウムは温熱機能が増す効果が得られることが知られている。
【００１１】
本考案はこの特性に着目して、導子の電極パッドを保持し、利用者身体と導子との密着性を高めるシリコンゴム中に粉末状のゲルマニウムを配合することで、電気筋肉刺激装置が出力する電気パルスによりシリコンゴムに配合されているゲルマニウムを活性化させ、電気刺激及び温熱効果の機能を向上させようとするものである。
以下、本考案の導子について説明する。
【実施例１】
【００１２】
本考案に係る導子１００は、図１、図２に示す様に、非導電性の基材シート１０の上に導電性物質としてカーボンを練り込んだ電極パッド２０と該電極パッド２０の周辺に粉末ゲルマニウム含有したシリコンゴム３０が設置されている。
【００１３】
非導電性の基材シート１０は、非導電性であれば特に材質は問わないが、利用者の身体に密着させるので、ある程度の柔軟性があればよい。この基材シート１０に電極パッド２０の裏面を固定する。
【００１４】
電極パッド２０の背面はリード線が接続され、後述する電気筋肉刺激装置と電気的に接続されており、利用者の身体に電気刺激を与える。
【００１５】
シリコンゴム３０は、基材シート１０と共に、電極パッド２０を保持、固定し、導子１００と利用者所望するトリートメント部位とを密着させるものである。
ゲルマニウムを０．５％から１％程度配合していることで、電極パッドによる電気刺激が無いところでもゲルマニウムの温熱効果を与えることが出来る。
また、電極パッドの発する電気パルスによりゲルマニウムが活性化し、より効率的に温熱効果を与えることができる。
【００１６】
ゲルマニウムは粉末状の物を用いる。ゲルマニウム粉末の粒径は小さいほど好ましく、具体的には粒径０．１〜５０μｍが好ましい。
粒径が５０μｍより大きいと、シリコンゴムとの混合が０．５％質量以上になると崩れやすくなるからである。また、粒径が小さければ小さいほどシリコンゴムに好適に混合できるからである。
【００１７】
ゲルマニウム濃度を０．５％から１％質量としたのは、ゲルマニウム濃度が０．５％以下であると利用者は温熱効果を感じにくく、逆にゲルマニウム濃度が１％以上であるとシリコンゴムが崩れやすいからである。
【００１８】
導子１００を構成する他の部分は既存の物を用いるので詳細は省略する。例えば、電気筋肉刺激装置と接合する接合端子やリード線は所定の導電性物質を用いて形成される。
【００１９】
このような導子１００は、単体をトリートメント部位に密着させて使用しても良いが、図３に示した様に導子１００を複数個使用し、ベルト状のものに固定して使用しても良い。
また、導子１００に設置される電極パッドの数は５個と３個の構成としたが、これは一例を示したものに過ぎず、任意の個数を設置することが出来ることを確認的に記載しておく。
【００２０】
電極パッド２０の設置数は、所望するトリートメント部位によって変わる。例えば、図１に示したように電極パッド２０を５個設置したものは腰部又は腹部に使用し、図２に示したような電極パッド２０を３個設置したものは足部や腕部に使用する。
【００２１】
以下、この導子に接続する電気筋肉刺激装置（以下、コントローラと記す）について述べる。
【００２２】
コントローラ４０は、チャネル１、チャネル２からなる２つの出力系を有し、低周波パルス信号を出力して、前記導子１００への低周波パルス電圧の供給を行う。
【００２３】
コントローラ４０の上面部には、チャネル１とチャネル２の差込口がそれぞれ設けられている。
【００２４】
この差し込み口に導子１００のプラグ端子と接続されたプラグ端子を挿入して使用される。
【００２５】
コントローラ４０は、これらの差込口を介して、導子１００を密着させたトリートメント部位の筋肉に電気刺激を与えるべく、低周波パルス電圧の供給を行う。
【００２６】
コントローラ４０の正面部には、出力状況や充電状態を示す液晶パネルと電源ボタンと、プログラム設定ボタンと出力調整ボタンとが設けられている。
【００２７】
電源ボタンは、コントローラ４０の電源をＯＮ／ＯＦＦするための操作ボタンであ
る。
【００２８】
プログラム設定ボタンは、動作モードを選択するための操作ボタンである。コントローラ４０は、予めトリートメント部位や体型等に応じて選択可能な複数の動作モードが設定されている。
【００２９】
利用者は、電源ボタンを押下して、電源をＯＮにした後、プログラム設定ボタンを押下して、所望の動作モードを選択する。動作モードが選択されると、その識別番号であるモード番号が、液晶パネルのモード表示部に表示される。
【００３０】
出力調整ボタンは、チャネル１又はチャネル２の出力レベルを設定するための操作ボタンである。本実施例のコントローラは、０〜４０段階の出力レベルを設定可能である。チャネル１に設定された出力レベルは、液晶パネルのレベル表示部に表示される。
【００３１】
液晶パネルは、上記したモード表示部及びレベル表示部の他に、タイマ表示部を有する。タイマ表示部には、動作時間の残り時間が表示される。尚、本実施例のコントローラでは、１回のトリートメント処理に要する動作時間は、１５分に設定されている。
【００３２】
コントローラ４０の下部には接続口が設けられている。接続口には電源コードが接続される。
【００３３】
次に、コントローラ４０の制御系統について、図３を用いて説明する。
図３は、コントローラの機能構成を示すブロック図である。
【００３４】
コントローラ４０は、図３に示されるように、電源回路４９、スイッチ回路５０、ブザー回路５１、表示パネル部５２、チャネル制御部５３−１、チャネル制御部５３−２及び制御部５４を含んで構成される。
【００３５】
電源回路４９は、電源コードを介して商用交流電源に接続し、各部への電力供給を行う回路である。
【００３６】
スイッチ回路５０は、電源ボタン、プログラム設定ボタン及び出力調整ボタンの各操作ボタンを含んで構成される。スイッチ回路５０は、各操作ボタンの操作に基づき、対応する信号を生成し、制御部５４に入力する。
【００３７】
ブザー回路５１は、制御部５４の制御に基づき、ブザー音を出力し、動作時間の終了やエラー発生等の報知を行う。
【００３８】
表示パネル部５２は、液晶パネル及びパネル駆動回路を含み、制御部５４の制御に基づき、選択された動作モードのモード番号や出力レベル、残り時間等の表示を行う。
【００３９】
チャネル制御部５３−１及びチャネル制御部５３−２は、制御部５４の制御に基づき、低周波パルス信号の出力を制御する回路からなる。
【００４０】
チャネル制御部５３−１は、チャネル１の出力口である各差込口５０ａを介する出力を制御するために、定常パルス信号発生部５５−１、ＥＭＳ信号発生部５６−１及び出力制御部５７−１を備えている。
【００４１】
同様に、チャネル制御部５３−２は、チャネル２の出力口である各差込口５０ｂを介する出力を制御するために、定常パルス信号発生部５５−２、ＥＭＳ信号発生部５６−２及び出力制御部５７−２を備えている。
【００４２】
チャネル制御部５３−１は、制御部５４の制御に基づき、第１供給部として、チャネル１の出力を制御する。また、チャネル制御部５３−２は、制御部５４の制御に基づき、第２供給部として、チャネル２の出力を制御する。
【００４３】
定常パルス信号発生部５５−１、５５−２は、定常パルス信号を発生させる回路からなる。
図５は、定常パルス信号の信号パターンを示す説明図である。
【００４４】
定常パルス信号は、図５に示されるように、所定の振幅電圧Ｖｐ及びパルス幅Ｗｐを有するプラス及びマイナス電圧の各パルス信号からなり、パルス周波数ｆｐで出力される。ここで、振幅電圧Ｖｐ、パルス幅Ｗｐ及びパルス周波数ｆｐは、それぞれパラメータであり、各動作モードに応じて設定される。
【００４５】
ＥＭＳ信号発生部５６−１、５６−２は、ＥＭＳ信号を発生させる回路からなる。
図５は、ＥＭＳ信号の信号パターンを示す説明図である。
【００４６】
ＥＭＳ信号は、図６に示されるように、パルス幅Ｗｐは一定で、出力電圧Ｖが変調する複数のパルス信号からなる。ＥＭＳ信号発生部５６−１、５６−２は、パルス信号の出力電圧Ｖを０から所定の振幅電圧Ｖｐまで上昇させ、一定時間Ｔｈ維持した後、Ｖｐから０まで下降させる。その後、休止時間Ｔｒをはさんで、次のＥＭＳ信号が出力される。出力電圧Ｖを０からＶｐまで上昇させるために要する時間を、ランプアップ時間Ｔｕとし、Ｖｐから０まで下降させるために要する時間を、ランプダウン時間Ｔｄとすると、各ＥＭＳ信号の通電時間Ｔｏは、Ｔｏ＝Ｔｕ＋Ｔｈ＋Ｔｄとなる。通電時間Ｔｏ及び休止時間Ｔｒは、パラメータであり、各動作モードに応じて設定される。ＥＭＳ信号は、トリートメント部位の筋肉に、サージ刺激を与えるために利用される。
【００４７】
出力制御部５７−１、５７−２は、それぞれチャネル１、チャネル２の出力系を制御する機能を有する。即ち、出力制御部５７−１は、チャネル１の差込口５０ａを介する出力を制御する。また、出力制御部５７−２は、チャネル２の差込口５０ｂを介する出力を制御する。  
【００４８】
上述した電気筋肉刺激装置の使用方法は既存の電気筋肉刺激装置と同様であるため説明は省略する。
【００４９】
本考案に係る導子を使用することで、筋肉を電気刺激する治療の効果だけでなく、電気筋肉刺激装置の発する電気パルスによりゲルマニウムを活性させるので、ゲルマニウムの持つ温熱効果を効果的に引き上げることができる。これにより、血流を増進させるので血流低下による障害を緩和することが可能となる。
【符号の説明】
【００５０】
１００  導子  
１０    基板シート
２０    電極パッド
３０    シリコンゴム
４０    コントローラ
【図１】
0003205511.tif 000003
【図２】
0003205511.tif 000004
【図３】
0003205511.tif 000005
【図４】
0003205511.tif 000006
【図５】
0003205511.tif 000007
【図６】
0003205511.tif 000008